(57)【要約】【課題】  外部にディスプレイ装置を接続して映像出力を行わせる映像処理装置において、ディスプレイ装置に合わせた映像信号の補正設定を簡単に行うことの出来る映像処理装置、並びに、画質設定システムを提供する。【解決手段】  コンピュータネットワークＮ０に接続してデータの送受信を行うインターフェース部と、外部接続されるディスプレイ装置３０の機種情報を入力させる機種情報入力手段とを備えた映像処理装置１０である。そして、コンピュータネットワークＮ０上のサーバコンピュータ４０に接続して外部のディスプレイ装置３０の機種情報を送信するとともに、送信した機種情報に基づきサーバコンピュータ４０から送られてくる映像補正用の設定データを受信して、映像補正用の設定データを映像信号の補正処理用に設定する。【選択図】        図１
2007318636.tif 000002
【特許請求の範囲】
【請求項１】
外部接続されるディスプレイ装置へ映像信号を出力する映像処理装置であって、
コンピュータネットワークに接続してデータの送受信を行うインターフェース部と、
前記映像信号の元となる映像データ或いは出力前の映像信号に対して色調、コントラスト、輝度、ガンマ値、映像データのアスペクト比の何れか１つ又は複数の補正処理を行う映像補正手段と、
外部出力する映像信号に文字や画像の表示信号を挿入可能な表示処理手段と、
外部からの操作入力が可能な操作入力手段と、
各部の制御を行うとともにディスプレイ接続設定処理を実行する制御手段とを備え、
前記制御手段は、
ディスプレイ接続設定処理が開始された場合に、前記表示処理手段により前記ディスプレイ装置にメーカ名の一覧表示を行わせるとともに、前記操作入力手段の操作入力により該一覧表示の中から一つのメーカ名を選択可能とし、
該一覧表示にて一つのメーカ名が選択された場合に、前記インターフェース部を介して前記コンピュータネットワーク上の所定のサーバコンピュータに接続して当該選択されたメーカ名を製造メーカとするディスプレイ装置の機種の一覧情報をダウンロードし、さらに、前記表示処理手段により当該機種の一覧表示を行わせるとともに、前記情報入力手段の操作入力により該一覧表示の中から一つの機種を選択可能とし、
該一覧表示にて一つの機種が選択された場合に、該機種の情報を前記サーバコンピュータに送信して、これに基づき前記サーバコンピュータから送られてくる映像補正用の設定データを受信し、
該映像補正用の設定データを前記映像補正手段の補正処理用に設定することを特徴とする映像処理装置。
【請求項２】
外部接続されるディスプレイ装置へ映像信号を出力する映像処理装置であって、
コンピュータネットワークに接続してデータの送受信を行うインターフェース部と、
前記映像信号の元となる映像データ或いは出力前の映像信号に対して補正処理を行う映像補正手段と、
外部接続されるディスプレイ装置の機種情報を入力させる機種情報入力手段と、
各部の制御を行う制御手段とを備え、
前記制御手段は、
前記インターフェース部を介して前記コンピュータネットワーク上の所定のサーバコンピュータに接続して前記機種情報入力手段により入力されたディスプレイ装置の機種情報を送信し、
送信した機種情報に基づき前記サーバコンピュータから送られてくる映像補正用の設定データを前記インターフェース部を介して受信し、
該映像補正用の設定データを前記映像補正手段の補正処理用に設定することを特徴とする映像処理装置。
【請求項３】
前記映像補正手段は、映像信号の色調、コントラスト、輝度、ガンマ値、映像データのアスペクト比の何れか１つ又は複数を補正する手段であることを特徴とする請求項２記載の映像処理装置。
【請求項４】
外部出力する映像信号に文字や画像の表示信号を挿入可能な表示処理手段と、
外部からの操作入力が可能な操作入力手段とを備え、
前記機種情報入力手段は、
前記表示処理手段により外部接続されたディスプレイ装置にメーカ名の一覧表示を行わせるとともに、前記操作入力手段の操作入力により該一覧表示の中から一つのメーカ名を選択可能とし、
該一覧表示にて一つのメーカ名が選択された場合に、前記表示処理手段により当該メーカ名を製造メーカとするディスプレイ装置の機種の一覧表示を行わせるとともに、前記情報入力手段の操作入力により該一覧表示の中から一つの機種を選択可能とし、
該一覧表示にて一つの機種が選択された場合に、この選択された機種の情報を外部接続されたディスプレイ装置の機種情報として取得することを特徴とする請求項２又は３に記載の映像処理装置。
【請求項５】
前記制御手段は、
前記インターフェース部を介して前記サーバコンピュータからメーカ名の一覧情報および所定メーカのディスプレイ装置の機種一覧情報をダウンロードし、
これらメーカ名の一覧情報とディスプレイ装置の機種一覧情報とに基づいて前記メーカ名の一覧表示と前記ディスプレイ装置の機種の一覧表示とが行われることを特徴とする請求項４に記載の映像処理装置。
【請求項６】
請求項１〜５の何れかに記載の映像処理装置と、
複数のディスプレイ装置の映像補正用の設定データが蓄積されたデータベースを備え、
コンピュータネットワークを介して前記映像処理装置から接続を受けてディスプレイ装置の機種情報を受信するとともに、該ディスプレイ装置の機種に対応した映像補正用の設定データを前記映像処理装置に送信するサーバコンピュータと、
を備えたことを特徴とする画質設定システム。
【請求項７】
前記データベースには、
ディスプレイ装置の複数のメーカ名が登録されたメーカ情報と、複数のディスプレイ装置の機種情報が各メーカ毎に分類されて登録された機種情報と、各機種情報にそれぞれ対応づけられて登録された映像補正用の設定データと、が格納されていることを特徴とする請求項６記載の画質設定システム。
【発明の詳細な説明】
【技術分野】
【０００１】
この発明は、外部接続されるディスプレイ装置へ映像信号を出力する映像処理装置、並びに、コンピュータネットワークを介して映像処理装置の画質設定を行う画質設定システムに関する。
【背景技術】
【０００２】
外部に映像信号を出力する映像処理装置として、例えば、光ディスク再生装置、パーソナルビデオレコーダ、テレビ放送チューナ装置、ＣＡＴＶなどのセットトップボックス等がある。
【０００３】
このような映像処理装置にディスプレイ装置を接続して使用する場合、再生映像をより綺麗に表示させるべく、ディスプレイ装置や映像処理装置のカラー設定等を適宜調整することがある。例えば、液晶ディスプレイ、プラズマディスプレイ、ＣＲＴディスプレイ、プロジェクタなど、ディスプレイ装置の種別が異なると、同一の映像信号でも再生映像の色調（色相や色強度）、コントラスト、輝度などが比較的に大きく異なる場合があり、このような場合に、映像処理装置の色相、カラー強度、コントラスト、輝度、ガンマ値などの設定を適宜調整することで、より綺麗な再生映像が得られることがある。
【０００４】
また、同一種別のディスプレイ装置でも、その機種毎に異なる出力特性を有しているため、一様の再生映像を得るためには、ディスプレイ装置や映像処理装置のカラー設定等を適宜調整することが必要となる。
【０００５】
また、近年の映像ソースには、映像のアスペクト比が４：３のものと１６：９のものとが存在する一方、ディスプレイ装置にもアスペクト比が４：３のものと１６：９のものがあったり、或いは解像度がプログレッシブ対応のものとそうでないものがあったりと多様化している。そのため、近年の映像処理装置では、映像信号のアスペクト比や解像度がディスプレイ装置のそれと異なる場合に、種々の方式で映像信号のアスペクト比や解像度をディスプレイ装置に対応したものに変換する機能を有するものが開発されている。
【０００６】
また、本願発明に関連する従来技術として、次のような技術の開示があった。すなわち、特許文献１には、ネットワークを介して映像種別や受像部の機種情報に合わせた画質設定データを取得して受像部の画質調整を行う技術が開示されている。なお、本願では受像部の画質調整はユーザにより手動で行わせることに特徴がある。また、特許文献２には、表示装置に色調整装置を内蔵又は外付けし映像データに付加された係数データを用いて表示装置に合った色調整を行わせて映像出力させる技術が開示されている。また、特許文献３には、表示デバイスの色再現特性を測定して色補正等を行う技術が開示されている。また、特許文献４には、内視鏡カメラのシステムにおいて出力装置ごとに画像信号を補正して異なる出力装置間で同一の映像出力を行えるようにする技術が開示されている。
【特許文献１】特開２００４−３３６３１７号公報
【特許文献２】特開２００４−１１２１６９号公報
【特許文献３】特開２００３−３１９４１２号公報
【特許文献４】特開２００２−２０００３８号公報
【発明の開示】
【発明が解決しようとする課題】
【０００７】
上述したように、映像処理装置（例えばＤＶＤ再生装置）にディスプレイ装置を接続してカラー設定などの調整を行う場合、ディスプレイ装置とＤＶＤ再生装置との両方で同様の調整が可能であることから、例えば、ディスプレイ側で赤が強く、ＤＶＤ再生装置側で赤が弱くなど、両者で効果が打ち消しあうような設定が行われてもユーザには分かり難いため、大変複雑で面倒な作業となる。
【０００８】
また、１台のディスプレイ装置に複数の再生装置を接続してそれぞれを切り換えて使用する場合、或いは、１台の再生装置に液晶ディスプレイとプロジェクタなど複数のディスプレイ装置を交互に切り換えて使用する場合など、複数の装置の接続形態が一定でない場合には、１台の装置の設定を変化させると、他の装置を接続したときの設定がずれてしまうなど、１台の装置の設定変更が他の装置の設定にも影響を与えるので、各装置の設定を最適に行うのは非常に困難である。
【０００９】
また、ディスプレイ側だけカラー設定等を可能とし、再生装置側ではカラー設定等を行わないようにすれば良いのではとの考えもあるが、一般に、ディスプレイ側のカラー設定は再生映像を劣化させずに精細な調整ができる一方、再生装置側のカラー設定等は再生映像の色調やコントラスト等を大きく変化させることが出来るなどの特性の違いがあり、両方とも調整可能とする意義は大きい。
【００１０】
この発明の目的は、外部にディスプレイ装置を接続して映像出力を行わせる映像処理装置において、ディスプレイ装置に合わせた映像信号の補正設定を簡単に行うことの出来る映像処理装置、並びに、画質設定システムを提供することにある。
【課題を解決するための手段】
【００１１】
本発明は、上記目的を達成するため、外部接続されるディスプレイ装置へ映像信号を出力する映像処理装置であって、コンピュータネットワークに接続してデータの送受信を行うインターフェース部と、前記映像信号の元となる映像データ或いは出力前の映像信号に対して補正処理を行う映像補正手段と、外部接続されるディスプレイ装置の機種情報を入力させる機種情報入力手段と、各部の制御を行う制御手段とを備え、前記制御手段は、前記インターフェース部を介して前記コンピュータネットワーク上の所定のサーバコンピュータに接続して前記機種情報入力手段により入力されたディスプレイ装置の機種情報を送信し、送信した機種情報に基づき前記サーバコンピュータから送られてくる映像補正用の設定データを前記インターフェース部を介して受信し、該映像補正用の設定データを前記映像補正手段の補正処理用に設定する構成とした。
【００１２】
このような手段によれば、接続されるディスプレイ装置に適した映像補正の設定を簡単な操作で自動的に行うことが出来る。従って、映像処理装置についてはこのサーバコンピュータの映像設定データで設定を行い、ディスプレイ装置については部屋の明るさ、部屋の色調等に応じたユーザの好みの設定を行わせることで、複数の映像処理装置や複数のディスプレイ装置を切り換えて使うような場合でも、全ての組み合わせにおいてユーザの好みに応じた一様で綺麗な映像出力を簡単に得ることが出来る。
【００１３】
なお、ＨＤ−ＤＶＤ（高密度デジタル多用途ディスク）、ブルーレイディスク等の次世代光ディスクを記憶媒体とした光ディスク再生装置では、著作権保護の処理を行うためにインターネットに接続できる構成が標準で組み込まれることになっているため、このネット接続の構成を流用して、上記のサーバコンピュータとデータ通信させることで、製品コストを抑えて上記の機能を実現することが出来る。
ここで具体的には、前記映像補正手段は、映像信号の色調、コントラスト、輝度、ガンマ値、映像データの縦横サイズの何れか１つ又は複数を補正する手段とすると良い。
【００１４】
また好ましくは、外部出力する映像信号に文字や画像の表示信号を挿入可能な表示処理手段と、外部からの操作入力が可能な操作入力手段とを備え、前記機種情報入力手段は、前記表示処理手段により外部接続されたディスプレイ装置にメーカ名の一覧表示を行わせるとともに、前記操作入力手段の操作入力により該一覧表示の中から一つのメーカ名を選択可能とし、該一覧表示にて一つのメーカ名が選択された場合に、前記表示処理手段により当該メーカ名を製造メーカとするディスプレイ装置の機種の一覧表示を行わせるとともに、前記情報入力手段の操作入力により該一覧表示の中から一つの機種を選択可能とし、該一覧表示にて一つの機種が選択された場合に、この選択された機種の情報を外部接続されたディスプレイ装置の機種情報として取得するように構成すると良い。
【００１５】
また、前記制御手段は、前記インターフェース部を介して前記サーバコンピュータからメーカ名の一覧情報および所定メーカのディスプレイ装置の機種一覧情報をダウンロードし、これらメーカ名の一覧情報とディスプレイ装置の機種一覧情報とに基づいて前記メーカ名の一覧表示と前記ディスプレイ装置の機種の一覧表示とが行われるようにすると良い。
【００１６】
このように、メーカ名から辿って機種を選択させることで、容易に接続されたディスプレイ装置を特定させることが出来る。また、これらのメーカ名の一覧情報や機種一覧情報をサーバコンピュータからダウンロードする構成とすることで、メーカや機種の増加にも簡単且つ迅速に対応することが出来る。
【００１７】
また、本発明の画質設定システムは、上記の課題を解決するため、上述した映像処理装置、並びに、複数のディスプレイ装置の映像補正用の設定データが蓄積されたデータベースを有し、コンピュータネットワークを介して前記映像処理装置から接続を受けてディスプレイ装置の機種情報を受信するとともに、該ディスプレイ装置の機種に対応した映像補正用の設定データを前記映像処理装置に送信するサーバコンピュータを備えた構成とした。
【００１８】
また好ましくは、前記サーバコンピュータの前記データベースには、ディスプレイ装置の複数のメーカ名が登録されたメーカ情報と、複数のディスプレイ装置の機種情報が各メーカ毎に分類されて登録された機種情報と、各機種情報にそれぞれ対応づけられて登録された映像補正用の設定データとが格納されるようにすると良い。
【００１９】
このようなシステムにより、コンピュータネットワークを介してユーザが購入した各映像処理装置に最適な映像補正用の設定データを送信することが出来る。また、映像補正用の設定データを上記のようにデータベースに格納することで、ディスプレイ装置の機種が増えた場合にもデータベースの更新を容易に行うことが出来る。
【発明の効果】
【００２０】
以上説明したように、本発明に従うと、接続したディスプレイ装置に適した映像補正用の設定データをサーバコンピュータからダウンロードすることが出来るので、映像処理装置についてはこのサーバコンピュータの設定データで設定を行い、ディスプレイ装置についてはユーザの好みに応じた設定を行わせることで、複数の映像処理装置や複数のディスプレイ装置を切り換えて使うような場合でも、全ての組み合わせにおいてユーザの好みに応じた一様で綺麗な映像出力が得られるという効果がある。
【発明を実施するための最良の形態】
【００２１】
以下、本発明の実施の形態を図面に基づいて説明する。
図１は、本発明の実施の形態の画質設定システムを示す構成図である。
この実施の形態の画質設定システムは、映像処理装置としての光ディスク再生装置１０と、インターネットなどのコンピュータネットワークＮ０に接続されて光ディスク再生装置１０とデータ通信可能にされるサーバコンピュータ４０とから構成される。そして、外部接続されるディスプレイ装置３０に適した映像補正用の設定データを、サーバコンピュータ４０から光ディスク再生装置１０にダウンロードして、光ディスク再生装置１０に設定可能としたものである。
【００２２】
図２は、本発明に係る光ディスク再生装置１０の全体構成を示すブロック図である。
この実施の形態の光ディスク再生装置１０は、例えば、青紫色レーザを用いてデータの読書きを行う次世代ＤＶＤを記憶媒体とした再生装置である。この光ディスク再生装置１０には、光ディスクＤ０からのデータの読出処理を行うドライブ処理部１１と、光ディスクＤ０から読み出された映像データと音声データを復号して輝度信号および色差信号からなる映像信号とアナログの音声信号とに変換するデコーダ１２と、映像信号に文字や図柄などの表示信号を上書きするＯＳＤ（オンスクリーンディスプレイ）処理部１３と、音声信号を外部出力用に増幅する音声信号処理部１４と、映像信号を外部出力用の形式にエンコードする映像信号処理部１５と、これら各ブロックの制御を行う制御部１６と、インターネットなどのコンピュータネットワークＮ０に接続してデータ通信を行うためのネットワークインターフェース１７と、複数の操作ボタンを有しユーザからの操作指令を入力する操作入力部１８およびリモコン（リモートコントローラ）１９と、リモコン１９の信号を入力するリモコン受光部２０等を備えている。
【００２３】
デコーダ１２には、映像補正手段として、光ディスクＤ０から読み出した映像データのアスペクト比が１６：９のものである場合に、映像信号のアスペクト比が４：３になるようにデコード処理する機能が備わっている。このようなアスペクト比の変換方法としては、種々の方式が開発されているが、ここでは何れの方式を適用しても良い。
【００２４】
映像信号処理部１５には、映像補正手段として、映像信号の色相や色強度を変化させて映像信号の色調を補正する機能が備わっている。さらに、映像信号の輝度、コントラスト、ガンマ値を補正する機能も備わっている。
【００２５】
制御部１６は、設定データや制御プログラムを格納した不揮発性メモリ、制御プログラムを実行するＣＰＵ（中央演算処理装置）、ＣＰＵに作業用のメモリ空間を提供するＲＡＭ（Random Access Memory）などを備え、ＣＰＵが制御プログラムを実行しながら、各ブロックに制御信号を出力して各ブロックの制御を行うようになっている。上記ＣＰＵのソフトウェア処理、並びに、ＯＳＤ処理部１３の出力処理およびリモコン１９による入力処理等により、ディスプレイ装置３０の機種情報を入力させる機種情報入力手段が構成されている。また、このＣＰＵのソフトウェア処理により、サーバコンピュータとのデータ通信や画質設定を自動で行うテレビ接続設定処理が行われるようになっている。
【００２６】
図３には、サーバコンピュータ４０に格納されるデータベースの構成を表わしたデータチャートを示す。
サーバコンピュータ４０には、映像処理装置の映像補正設定を行うための設定データがデータベース４２に蓄積されている。データベース４２には、ディスプレイ装置を製造している多数のメーカ名のデータが登録されたメーカ情報と、ディスプレイ装置の多数の機種名（型番）のデータが登録された型番情報と、各機種毎の映像補正データが登録された映像補正情報とが格納されている。この映像補正データは各機種名のデータと一対一に対応付けられて格納され、各機種名のデータは製造元のメーカ名ごとに分類されて格納されている。
【００２７】
映像補正データは、該当するディスプレイ装置の出力特性を補完して各ディスプレイ装置で一様な色調および一様なコントラストや明るさの映像出力が行われるように、光ディスク再生装置１０から出力される映像信号を補正する設定データである。なお、この映像補正用の設定データは、ディスプレイ装置がデフォルトの設定となっている場合に標準の映像出力が行われるように選定されたものである。
【００２８】
更に上記の映像補正データには、該当するディスプレイ装置の画面のアスペクト比やプログレッシブ対応か否かを示すコード（ＡＳ＝０〜３）も含まれ、光ディスク再生装置１０で映像データをデコードする際にこのコードに基づいてディスプレイ装置３０のアスペクト比や解像度に適したデコード処理が行われるようになっている。
【００２９】
サーバコンピュータ４０は、コンピュータネットワークＮ０を介して外部の機器から通信要求があった場合に、所定の認証処理を行い、認証処理を経た機器に対して所定のデータ通信を行って上記の映像補正データを送信するようにプログラムされている。
【００３０】
次に、上記構成の光ディスク再生装置１０とサーバコンピュータ４０により実行されるテレビ接続設定処理について説明する。
図４には、このテレビ接続設定処理中にディスプレイ装置から表示出力される設定画面の一例を示す画像図を、図５には、光ディスク再生装置１０の制御部１６のＣＰＵにより実行されるテレビ接続設定処理のフローチャートを示す。
【００３１】
このテレビ接続設定処理は、例えば、ユーザがリモコン１９等を操作してメニュー表示の中からテレビ接続設定の項目を選択することで開始される。このテレビ接続設定処理が開始されたら、先ず、ＯＳＤ処理部１３を作用させて、外部のディスプレイ装置３０にテレビ接続設定の処理画面を表示出力させる（ステップＳ１）。
【００３２】
次いで、ネットワークインターフェース１７を作動させてネットワークＮ０を介してサーバコンピュータ４０に接続して認証処理等を行う（ステップＳ２）。認証処理を経たら、続いて、サーバコンピュータ４０に対してメーカ情報の要求をしてメーカ名の一覧情報をダウンロードする（ステップＳ３）。
【００３３】
メーカ名の一覧情報をダウンロードしたら、次に、この一覧情報に基づきディスプレイ装置３０の画面３５に図４（ａ）に示すようなメーカ名の一覧表示３７を行い、さらに、この一覧表示３７の中から１つのメーカ名をユーザに選択させる処理を行う（ステップＳ４）。
【００３４】
メーカの選択は、例えば、リモコンの上下のカーソルキーを用いてリストの中から１つのメーカ名にカーソルを合わせ、この状態で決定キーを押すことで、このメーカ名を選択することが出来る。ユーザは、ここで接続しているディスプレイ装置３０のメーカ名を選択する。
【００３５】
メーカ名が選択されたら、次いで、ネットワークＮ０を介したデータ通信によりサーバコンピュータ４０にこの選択されたメーカ名に分類されている型番の一覧情報を要求してこのデータをダウンロードする（ステップＳ５）。続いて、この一覧情報に基づいてディスプレイ装置３０の画面３５に図４（ｂ）に示すような型番の一覧表示３８を行う。さらに、この一覧表示３８の中から１つの型番をユーザに選択させる処理を行う（ステップＳ６）。型番の選択についても上述のメーカの選択の場合と同様にユーザにより選択させる。
【００３６】
そして、型番が選択されたら、次に、サーバコンピュータ４０にこの型番の情報を送信し、この型番に対応付けられた映像補正データの要求を行ってこの映像補正データのダウンロードを行う（ステップＳ７）。そして、この映像補正データを制御部１６内の不揮発性メモリに設定して（ステップＳ８）、このテレビ接続設定処理を終了する。
【００３７】
このような映像補正データの設定により、映像信号の出力を行う際に、デコード処理において映像のアスペクト比や解像度がディスプレイ装置３０のそれと合うように補正されたり、映像信号処理部１５で色調や明るさやコントラスト等の補正が行われて、ディスプレイ装置３０の出力特性を補完するような補正が行われることとなる。
【００３８】
以上のように、この実施の形態の光ディスク再生装置１０、並びに、光ディスク再生装置１０とサーバコンピュータ４０からなる画質設定システムによれば、光ディスク再生装置１０から出力される映像信号のアスペクト比や解像度、色調、コントラスト、明るさ等の設定を、外部接続されるディスプレイ装置３０に適した値に簡単な操作で設定することが出来る。
【００３９】
従って、光ディスク再生装置１０の設定はこの方法で行う一方、ディスプレイ装置３０のカラー設定等については部屋の明るさや色調等に応じたユーザの好みの設定を行わせることで、複数の映像処理装置や複数のディスプレイ装置を切り換えて使うような場合でも、全ての組み合わせにおいてユーザの好みに応じた一様で綺麗な映像出力を簡単に得ることが出来るという効果が奏される。
【００４０】
また、ネットワークインターフェース１７を、次世代光ディスクの著作権保護の処理に必要なネットワーク接続手段と兼用させることで、上記の自動画質設定の機能を製品コストをさほど高騰させることなく実現することが出来る。
【００４１】
なお、本発明は、上記実施の形態に限られるものではなく、様々な変更が可能である。例えば、映像処理装置として次世代光ディスク再生装置を例示したが、その他、光ディスク録画再生装置、パーソナルビデオレコーダ、チューナ装置、セットトップボックスなどに適用しても良い。
【００４２】
また、映像補正の内容として、色相や色強度などを例示したが、ＲＧＢ（赤緑青）の各色ごとの色強度なども補正内容に加えても良い。また、サーバコンピュータのデータベースとして、上記実施の形態では、光ディスク再生装置１０のみの映像補正データを格納したものを示しているが、複数種類の映像処理装置に対して同様の処理を行わせるときには、複数種類の映像処理装置にそれぞれ対応した映像補正データを別途格納し、何れの種類の映像処理装置かを確認してそれに対応する映像補正データがサーバコンピュータから送信されるように構成しても良い。
【００４３】
その他、テレビ接続設定処理において毎回サーバコンピュータに接続してデータをダウンロードするのではなく、所定のテレビ機種の設定データをダウンロードしてキャッシュしておき、同じテレビ機種を接続する場合にはキャッシュされた設定データを用いて映像補正処理を行うようにしても良い。
【００４４】
その他、実施の形態で具体的に示した細部等は発明の趣旨を逸脱しない範囲で適宜変更可能である。
【図面の簡単な説明】
【００４５】
【図１】本発明の実施の形態の画質設定システムを示す構成図である。
【図２】本発明の実施の形態の映像処理装置としての光ディスク再生装置の構成を示すブロック図である。
【図３】サーバコンピュータに格納されるデータベースの構成を示すデータチャートである。
【図４】映像処理装置の映像補正の設定を行うテレビ接続設定処理の設定画面の一例を示す画像図である。
【図５】制御部のＣＰＵにより実行されるテレビ接続設定処理の手順を示したフローチャートである。
【符号の説明】
【００４６】
１０    光ディスク再生装置（映像処理装置）
１２    デコーダ
１３    ＯＳＤ処理部（表示処理手段）
１５    映像信号処理部
１６    制御部
１７    ネットワークインターフェース
１８    操作入力部（操作入力手段）
１９    リモコン（操作入力手段）
３０    ディスプレイ装置
４０    サーバコンピュータ
４２    データベース
Ｎ０    コンピュータネットワーク
【図１】
2007318636.tif 000003
【図２】
2007318636.tif 000004
【図３】
2007318636.tif 000005
【図４】
2007318636.tif 000006
【図５】
2007318636.tif 000007